Podtech/llm-jp-corpus-v4-ja_patent huggingface dataset:
(57)【要約】      （修正有）【課題】誰でも調節でき、誤動作しにくい目飛び検知器及び２度掛け検知器を提供する。【解決手段】上糸調節器９と針１２の間にバネ、目飛び検知センサ、バネ強弱調整器を組み付けた装置を設置し、釜１５で糸１１を掛けた後、天秤１０で糸を張る場合に糸の張り具合をバネの動きに変え目とびの場合は、目飛び検知センサで検知させ目飛びと検出させる。糸が緩むべき所で、糸が張ると、バネが動きバネを目飛び検知センサが、２度掛けと検出する。バネ強弱調整器を設けることで、縫製条件の変化にもバネの強さを調節し、誤動作を起こさないようにする。【選択図】図１
0003169734.tif 000002
【実用新案登録請求の範囲】
【請求項１】
針と釜との協働により縫い目を形成するミシンの上糸調節器と、前記針の間に配置した一端支持のバネと、前記バネの他端近傍に配した目飛び検知センサと、ミシン駆動用プーリーの位置検知センサを有し、前記両検知センサに接続した制御回路とを有していることを特徴とする目飛び検知装置。
【請求項２】
上記制御回路が、ミシン停止回路、音発生回路、発光回路、上記駆動用ミシンプーリーの位置検知回路、糸張り回路の内、少なくとも１つ以上組み合わせたことを特徴とする請求項１に記載の目飛び検知装置。
【考案の詳細な説明】
【技術分野】
【０００１】本考案は、図２に図示するように、ミシンの上糸調節器９と針１２の間に、バネ２と目飛び検知センサ１を組付けた装置とミシン駆動用プーリーの位置検知センサ１４を設置し、前記ミシン駆動用プーリーの位置で、バネ２の動きを目飛び検知センサ１で検知する目飛び検知及び２度掛け検知に関するものである。
【背景技術】
【０００２】従来このような目飛びを検知する手段として、音検知センサや張力センサで監視していた。
【考案が解決しようとする課題】
【０００３】上記、背景技術の目飛び検知センサは、専門性を要し、検知の為の元データー入力が必要で、生地厚、段部、運針距離などが変化する縫製条件により、誤検知する場合があり、また、２度掛けに対しては、解決されていない。
【課題を解決するための手段】
【０００４】本考案は、針と釜との協働により縫い目を形成するミシンの上糸調節器と  前記針の間に配置した一端支持のバネと、前記バネの他端近傍に配した目飛び検知センサと、ミシン駆動用プーリーの位置検知センサを有し、前記両検知センサに接続した制御回路を有することを特徴とする目飛び検知装置で、前記制御回路が、ミシン停止回路、音発生回路、発光回路、ミシン駆動用プーリーの位置検知回路、糸張りタイミング回路の内、少なくとも１つ以上組み合わせた目飛び検知装置である。具体的には、駆動用プーリーの位置検知センサと、針と釜との協働により縫い目を形成するミシンの上糸調節器と針の間に図２に図示するバネ２と目飛び検知センサ１を組み付けた装置を設置した。
【考案の効果】
【０００５】種々の縫製条件に対応する為、目飛び検知装置に上記構成としたバネ強弱調整器を設けて、調節条件、生地厚、段差、運針距離等の条件に応じて、誰でも調節でき、誤動作しにくい目飛び検知器及び２度掛け検知器を提供できた。
【図面の簡単な説明】
【０００６】
【図１】本考案に係る目飛び検知装置を千鳥ミシンに取り付けた状態を示す説明図
【図２】図１のＡ部拡大図
【図３】目飛び検知装置の構成部品分解図
【図４】駆動用プーリーの位置検知センサを示す図である。
【考案を実施するための形態】
【０００７】以下、本考案に係る一実施例を図１から図４を用いて以下説明する。
【実施例】図１はミシンの上糸調節器９と針１２の間に配置した一端支持のバネ２と、前記バネ２の他端近傍に配した目飛び検知センサ１の形態を示している。
図２は、ミシン本体に目飛び検知センサ取り付け土台５を取り付け、糸１１を糸道１３に通した状態を示し、糸１１の張りと緩みでバネ２を動かし、バネ２はバネ案内板８により目飛び検知センサ１が検知する位置に案内する様子を示している。釜１５で糸１１を掛けた後、天秤１０で糸１１を張る場合に、糸１１の張りや緩みをバネ２の動きに変え、目飛びの場合は、目飛び検知センサ１で目飛びを検出させる。ミシン１回転に対し、釜１５は２回転するミシンにおいて、針１２と釜１５の出合いで、糸１１をすくう。釜１５から糸１１が抜ける時に、釜１５が糸１１を掛けた場合は２度掛けによる目調子不良となる。糸が緩むべきところで糸が張る場合はバネ２の動きで、２度掛けと目飛びセンサ１で検出させる。バネ２は、前記目的を達成できれば、形状や材質は他でもよい。バネ強弱調整器３を設けることで、縫製条件の変化にもバネ２の強さを調節し、対応できるようにした。バネ強弱調整器３は、バネ２強弱が出来れば、形状や方法は他の方法でもよい。図４は、駆動用プーリーの位置検知センサを図示している。駆動用プーリーの位置はロータリーエンコーダ、ミシン軸で動作するもので位置を検知してもよい。また、バネ２は、必要に応じて、ピアノ線（棒状バネ）や板バネなど用いることもできる。
図３は、目飛び検知装置の構成部品分解図で、目飛び検知センサ取り付け土台５にセンサ止ネジ６と止ナット７で、目飛び検知センサ１と、バネ案内板８を取り付ける。バネ２は、バネ強弱調整器３にてバネの強さを決めバネ調節器止ネジ４にて、目飛び検知センサ取り付け土台５に取り付ける。
【符号の説明】
【０００８】１    目飛び検知センサ
２    バネ
３    バネ強弱調整器
４    バネ調節器止ネジ
５    目飛び検知センサ取り付け土台
６    センサ止ネジ
７    止ナット
８    バネ案内板
９    上糸調節器
１０  天秤
１１  糸
１２  針
１３  糸道
１４  駆動用プーリーの位置検知センサ
１５  釜
１６  駆動用プーリー
【図１】
0003169734.tif 000003
【図２】
0003169734.tif 000004
【図３】
0003169734.tif 000005
【図４】
0003169734.tif 000006
【手続補正書】
【提出日】平成23年2月23日(2011.2.23)
【手続補正１】
【補正対象書類名】実用新案登録請求の範囲
【補正対象項目名】請求項１
【補正方法】変更
【補正の内容】
【請求項１】
針と釜との協働により縫い目を形成するミシンの上糸調節器と、前記針の間に配置した一端支持のバネと、前記バネの他端近傍に配した目飛び検知センサは、釜１５が、糸を掛けると糸が張りバネが動く、釜１５が、糸を掛けないと糸が張らずバネが動かないように構成され、前記バネの動きを検知するセンサと、ミシン駆動用プーリーの位置検知センサを有し、前記両検知センサに接続した制御回路とを有していることを特徴とする目飛び検知装置。
(57)【要約】      （修正有）【課題】眼鏡フレーム、又は、サングラスの一部において、鍵（ｋｅｙ）の形状、もしくは、デザインを有する眼鏡フレーム、又は、サングラスを提供する。【解決手段】以下のあ（イ）〜（ニ）のいずれかの構造をメガネフレームの一部として取り込む。（イ）鍵の形状を含む眼鏡フレームの部品の金型をつくり、プレス加工により、眼鏡フレーム、又はサングラスの一部にする。（ロ）鍵の形状のみの金型を作り、プレス加工により、鍵の形状を出し、ロー付、ネジどめ、カシメ、張り合せ、さし込み等により、眼鏡フレーム、又は、サングラスの一部にする。（ハ）鍵の形状またはデザインのマスターを作り、射出成型・キャスティング等により、眼鏡フレーム、又は、サングラスの一部にする。（ニ）眼鏡フレーム、又はサングラスの一部に鍵の形状をプリント・メッキ、塗装・等により、眼鏡フレーム、又は、サングラスの一部のデザインにする。【選択図】図１
0003169731.tif 000002
【実用新案登録請求の範囲】
【請求項１】
眼鏡フレーム、又はサングラスの本体の一部に鍵（ｋｅｙ）の形状、もしくはデザインを有して、従来の眼鏡フレーム、又は、サングラスにはない、スタイル、デザイン、見た目の美しさ等を有するところを特徴とする眼鏡フレーム、又はサングラス。
【考案の詳細な説明】
【技術分野】
【０００１】この考案は眼鏡フレーム・又はサングラスの一部において、鍵（ｋｅｙ）の形状、もしくは、デザインを有する眼鏡フレーム、又は、サングラスに関するものである。
【背景技術】
【０００２】従来、眼鏡フレーム、又は、サングラスの一部において、鍵（ｋｅｙ）の形状、もしくはデザインを有する眼鏡フレーム・又はサングラスは皆無であった。
【考案の開示】
【考案が解決しようとする課題】
【０００３】従来の眼鏡フレーム、又は、サングラスには、本考案のような、眼鏡フレーム、又は、サングラスがなかった。
本考案は、従来なかったスタイルを生み出すためになされたものである。
【課題を解決するするための手段】
【０００４】（イ）鍵の形状を含む眼鏡フレームの部品の金型をつくり、プレス加工により、眼鏡フレーム、又はサングラスの一部にする。
（ロ）鍵の形状のみの金型を作り、プレス加工により、鍵の形状を出し、ロー付、ネジどめ、カシメ、張り合せ、さし込み等により、眼鏡フレーム、又は、サングラスの一部にする。
（ハ）鍵の形状またはデザインのマスターを作り、射出成型・キャスティング等により、眼鏡フレーム、又は、サングラスの一部にする。
（ニ）眼鏡フレーム、又はサングラスの一部に鍵（ｋｅｙ）の形状をプリント・メッキ、塗装・等により、眼鏡フレーム、又は、サングラスの一部のデザインにする。
課題を解決するための手段としまして、前記の（イ）、（ロ）、（ハ）、（ニ）の一部を含む構成よりなる眼鏡フレーム、又はサングラスである。
【考案の効果】
【０００５】Ａ、従来の眼鏡フレーム、又は、サングラスにはない、スタイル、デザイン、見た目の美しさ、等を有する眼鏡フレーム、又は、サングラスを提供できる。
Ｂ、従来の眼鏡フレーム、又は、サングラスにはない、鍵の形状、もしくはデザインを有する事で、自分の鍵（ｋｅｙ）で人生を開く、夢を開く、等の人々の夢を有する眼鏡フレーム、または、サングラスを提供できる。
【考案を実施するための最良の状態】
【０００６】以下、本考案の実施例について説明する。
（イ）鍵の形状を含む眼鏡フレームの部品の金型をつくり、プレス加工により、眼鏡フレーム、又は、サングラスの一部にする。
（ロ）鍵の形状のみの金型を作り、プレス加工により、鍵の形状を出し、ロー付、ネジどめ、カシメ、張り合せ、さし込み等により、眼鏡フレーム、又は、サングラスの一部にする。
（ハ）鍵の形状またはデザインのマスターを作り、射出成型・キャスティング等により、眼鏡フレーム、又は、サングラスの一部にする。
（ニ）眼鏡フレーム、又はサングラスの一部に鍵（ｋｅｙ）の形状をプリント・メッキ、塗装・等により、眼鏡フレーム、又は、サングラスの一部のデザインにする。
本考案は、以上のような、構成または、構造でつくれば、今迄見た事のない、スタイル．デザイン．見た目の美しさ、人々に夢を提供する等の眼鏡フレーム、又はサングラスにする事ができる。
【図面の簡単な説明】
【０００７】
【図１】本考案の図面の代用写真である。
【図２】本考案の使用中の図面の代用写真である。
【符号の説明】
【０００８】１、鍵（ｋｅｙ）の形状、デザインを有する眼鏡フレーム、又は、サングラスの一部。
２、プレス加工、射出成型、キャスティング、プリント・塗装・メッキ・等により鍵（ｋｅｙ）の形状・デザインを有する一部
【図１】
0003169731.tif 000003
【図２】
0003169731.tif 000004
【手続補正書】
【提出日】平成23年3月29日(2011.3.29)
【手続補正１】
【補正対象書類名】実用新案登録請求の範囲
【補正対象項目名】請求項１
【補正方法】変更
【補正の内容】
【請求項１】
鍵（ｋｅｙ）の形状をロー付、ネジどめ、カシメ、張り合せ、さしこみにより鍵（ｋｅｙ）の形状を含む眼鏡フレーム・又はサングラスにする。
【手続補正書】
【提出日】平成23年6月2日(2011.6.2)
【手続補正１】
【補正対象書類名】実用新案登録請求の範囲
【補正対象項目名】全文
【補正方法】変更
【補正の内容】
【実用新案登録請求の範囲】
【請求項１】
鍵（ｋｅｙ）の形状をロー付、ネジどめ、カシメ、張り合せ、さしこみ、のいずれかの手段により鍵（ｋｅｙ）の形状を取り付けたことを特徴とする眼鏡フレーム・又はサングラス。
(57)【要約】      （修正有）【課題】紫外線カット生地を張った傘を自転車の荷台とハンドルにバンドにより固定し、片手運転の防止をするようにした自転車用紫外線カット固定傘を提供する。【解決手段】自転車後部荷台に固定した支柱４の上部に、運転者の肩幅を覆う骨組７にネジ接合し、前記骨組に紫外線カット生地９を張り、前記骨組の他端に２本のバンド１０の一端を取り付け、自転車前部ハンドルに前記２本のバンドの他端を取り付けて前記骨組を固定し、自転車紫外線カット固定傘を形成する。【選択図】図１
0003169737.tif 000002
【実用新案登録請求の範囲】
【請求項１】
自転車後部荷台に固定した支柱の上部に運転者の肩幅を覆う骨組みに紫外線カット記事を張り、自転車前部ハンドルに２本のバンドで固定するところを特徴とする自転車用紫外線カット固定傘
【考案の詳細な説明】
【技術分野】
【０００１】本考案は自転車用の紫外線カット傘に関するものである。
【背景技術】
【０００２】日傘を自転車運転時に、片方の手に持って片手運転をしていた。
【考案の開示】
【考案の解決しようとする課題】
【０００３】日の強い時に日傘を片手に持ち、片手運転の危険を排除する。
【課題を解決するための手段】
【０００４】本考案は、自転車後部荷台に固定した支柱と２本のバンドをハンドルに固定。問題点を解決している。
【考案の効果】
【０００５】上述の様に、本考案の傘は固定された支柱を２本のバンドのハンドルへの固定により、運転者が安全に運転が出来、片手運転の防止になる。
【考案を実施するための形態】
【０００６】自転車後部の荷台に平板２枚をボルトナットで固定。支柱を取り付けた上部に運転者の肩幅の四角の骨組みに紫外線カットの生地を張り、両端にハンドルに固定したバンドを取り付ける。
【実施例】
【０００７】以下、添付図面に従って実施例を説明する。
１はクロームメッキの鋼板２枚で２の滑り止めパットをはさみ、３のボルトナットで締め、４のクロームメッキの丸鋼管を溶接し、５の高さ調節つまみにより６を固定する。【０００８】７は軽量スチール骨組みで、８の丸棒スチール骨材に、９の紫外線カット生地を張り、１０のビニールバンドでハンドルに１１のマジックテープを巻き付け固定する。
【図面の簡単な説明】
【０００９】
【図１】本校案の固定傘の立体図である。
【図２】本固定傘の平面図である。
【符合の説明】
【００１０】  １  固定平板
２  滑り止めパット
３  ボルトナット
４  支柱
５  調節つまみ
６  支柱
７  骨組み
８  丸棒
９  紫外線カット生地
１０  固定バンド
１１  マジックテープ
【図１】
0003169737.tif 000003
【図２】
0003169737.tif 000004
【手続補正書】
【提出日】平成23年3月22日(2011.3.22)
【手続補正１】
【補正対象書類名】実用新案登録請求の範囲
【補正対象項目名】請求項１
【補正方法】変更
【補正の内容】
【請求項１】
・  自転車後部荷台に固定した支柱の上部にネジやまをつけ、運転者の肩幅を覆う骨組にネジ接合し、紫外線カット生地を張り、自転車前部ハンドルに骨組結合した２本のバンドで傘部を固定するところを特徴とする自転車紫外線カット固定傘。
【手続補正２】
【補正対象書類名】明細書
【補正対象項目名】０００８
【補正方法】変更
【補正の内容】
【０００８】・  ７は軽量スチール骨組で、８の丸棒スチール骨材に、９の紫外線カット生地を張り、１０のビニールバンドでハンドルに面フアスナーを巻き付け傘部を固定する。
【手続補正３】
【補正対象書類名】明細書
【補正対象項目名】００１０
【補正方法】変更
【補正の内容】
【００１０】１  固定平板                ６  支柱                      １１  面フアスナ
２  滑り止めパット          ７  骨組み                    １２  ネジ接合部
３  ボルトナット            ８  丸棒
４  支柱                    ９  紫外線カット生地
５  調整つまみ            １０  固定バンド
【手続補正書】
【提出日】平成23年5月26日(2011.5.26)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
自転車後部荷台に固定した支柱の上部に、運転者の肩幅を覆う骨組にネジ接合し、前記骨組に紫外線カット生地を張り、前記骨組の他端に２本のバンドの一端を取り付け、自転車前部ハンドルに前記２本のバンドの他端を取り付けて前記骨組を固定したことを特徴とする、自転車紫外線カット固定傘。
(57)【要約】      （修正有）【課題】建物の屋根の廻りの破風などの取り付けは高所、又は足場の悪い所が多く二人で左右持って取付ても転落の危険がある。破風取り付け機に乗せて取り付けると一人でも楽に取付が出来て安全な破風取り付け機を提供する。【解決手段】破風取り付け機を、取り付ける破風板の両端の屋根垂木に取り付けてそれに破風板を乗せると二人で作業をするのを一人で出来て両手を離しても落ちることなく安全、小労力、速く取り付け出来る。【選択図】図１
0003169732.tif 000002
【実用新案登録請求の範囲】
【請求項１】
破風取り付け機（５）（６）本体は、丁番を片方長く変形させたかたちです、（１０）大きいほうに縦長の溝を切り抜いて（７）それにＵ字型に加工した破風板受け金具を取り付けて（８）蝶ネジで絞め付ける（１１）屋根垂木にビスで取り付ける
【考案の詳細な説明】
【技術分野】
【０００１】破風取付機の施工例、建物の屋根の廻りの破風などの取り付けては高所、又は足場の悪い所が多く二人で左右持って取付ても転落の危険があります、破風取り付け機を左右に仮付けしてそれに乗せて取り付けると一人でも楽に取付が出来て安全で小労力かに成ります
【背景技術】
【０００２】施工時は勾配の急な屋根の先端で両手を使って破風を取り付けるので滑り落ちる危険があります破風取り付け機はそれを解消うできます
【先行技術文献】
【０００３】
【特許文献】
【特許文献１】
【特許文献２】
【非特許文献】
【考案の概要】
【考案が解決使用とする課題】
【０００４】作業が安全に小力化ために又破風取り付け機の様な機能を持った道具は無く大変不便でした
【課題解決するための手段】
【０００５】破風取り付け機は金属製で簡単に加工組み立て製品化でき持運びも容易です、図１、組立施工。
【考案効果】
【０００６】破風取り付け機は簡単に取り付け出来て施工上楽で小力化で安全です。
屋根の廻りに取り付ける破風についても押し上げます、今は破風を取付る時は約４  メーター有る破風を両端で２人で持って取り付けています、破風取り付け機を破風の両端の屋根垂木の先端に釘又はビス等で取り付けてそれに乗せると一人でも容易に取り付けることが出来る
【考案を実施するための形態】
【０００７】破風取り付け機の構造は図面にて具体的に説明する。
２図は施工取付完成、本体を垂木に釘ビスで取付る、形は丁番を片方を長くした形ち、の（６）大きな方に立てに溝を切り抜く［７］欽帯を破風が乗るようにｕの字に加工しボルト穴を２−３箇所明ける［８］蝶ネジを穴と溝に通して取り付ける上下可
【図面の簡単な説明】
【０００８】「
【図１】２図」は施工図、完成図「
【図１】３図」は破風取り付け機の正面図「
【図１】４図」は破風取り付け機の組み立てた側面図
【符号の説明】
【０００９】図１は、破風取り付け機図
（５）（６）は、本体の丁番
（７）は、破風を入れるＵ字型金具
（８）は、本体とＵ字型金具を取り付ける蝶ネジ
（９）（１１）は、屋根垂木に取り付けるビス穴
（１０）は、Ｕ字型金具を取り付けて上下させる溝
【図１】
0003169732.tif 000003
【手続補正書】
【提出日】平成23年2月4日(2011.2.4)
【手続補正１】
【補正対象書類名】実用新案登録請求の範囲
【補正対象項目名】全文
【補正方法】変更
【補正の内容】
【実用新案登録請求の範囲】
【請求項１】
破風取り付け機は、丁番の、片方を、長く、（３×７０×１００）と（３×７０×２００）を組合わせたものに、Ｕ字型に加工した破風板受け金具の縦の片方を丁番の長い方と、蝶ネジで縫って、組み立てた破風取り付け機
破風取り付け機の丁番の短い方を屋根垂木の先端の上場に仮ビスで堅く取り付ける。
【手続補正２】
【補正対象書類名】明細書
【補正対象項目名】０００８
【補正方法】変更
【補正の内容】
【０００８】
【図１】は、破風取付機完成施工図
【図２】は、破風取り付け機の正面図
【図３】は破風板受け金具図
【手続補正３】
【補正対象書類名】図面
【補正対象項目名】全図
【補正方法】変更
【補正の内容】
【図１】
0003169732.tif 000004
【図２】
0003169732.tif 000005
【図３】
0003169732.tif 000006
【手続補正書】
【提出日】平成23年5月2日(2011.5.2)
【手続補正１】
【補正対象書類名】実用新案登録請求の範囲
【補正対象項目名】全文
【補正方法】変更
【補正の内容】
【実用新案登録請求の範囲】
【請求項１】
片方が長く、もう片方が短い丁番と前記丁番の長い方と蝶ネジで接続されたＵ字型の、破風板受け金具から成り、前記丁番の短い方に、ビス穴を有することを特徴とする破風取り付け機
(57)【要約】      （修正有）【課題】２輪車等に取り付ける荷篭内の物を固定する固定具を備えた荷篭を提供する。【解決手段】荷篭５には、磁石６が固定され、磁石６には、クリップ７が吸着、固定されている。物品４は、クリップ７によって、束ねられている。物品４をクリップ７で、束ねて、その物品４の束を磁石６で、荷篭５に固定しているので、荷篭５の中で、物品４が動くことがない。なお、クリップ７は、二つの部材からなり、バネの力によって、その二つの部材を互いに押し当てるように構成されている。また、荷篭ごとクリップ７を鍵８で連結して、クリップ７が容易に持ち去られないようにしてもよい。【選択図】図３
0003169780.tif 000002
【実用新案登録請求の範囲】
【請求項１】
二輪車に取り付けて使用される荷篭において、
物品を挟むクリップと、
前記クリップを前記荷篭に着脱自在に固定する固定手段を備える
ことを特徴とする荷篭。
【請求項２】
前記固定手段は、前記集束手段と前記荷篭のそれぞれに固定される面ファスナの対である
ことを特徴とする請求項１に記載の荷篭。
【請求項３】
前記固定手段は、磁石である
ことを特徴とする請求項１に記載の荷篭。
【考案の詳細な説明】
【技術分野】
【０００１】  本考案は、２輪車等に取り付けて使用する荷篭に関する。
【背景技術】
【０００２】  自転車や原動機付き自転車に取り付ける荷篭が良く知られている（特許文献１）。
【先行技術文献】
【特許文献】
【０００３】
【特許文献１】特開２００５−１８６７８７号公報
【考案の概要】
【考案が解決しようとする課題】
【０００４】  従来の荷篭は、荷篭に入れた物品を固定する手段を欠いていたので、自転車等の運転中に振動や、風圧を受けて、荷篭内の物が動いて破れたり壊れたりするという問題があった。【０００５】  本考案は、上記課題を解決するものであり、荷篭内の物を固定する固定具を備える荷篭を提供する事を目的とする。
【課題を解決するための手段】
【０００６】  本考案の固定具は、二輪車に取り付けて使用される荷篭において、物品を挟むクリップと、前記クリップを前記荷篭に着脱自在に固定する固定手段を備えることを特徴とする。【０００７】  前記固定手段は、例えば、前記集束手段と前記荷篭のそれぞれに固定される面ファスナの対である【０００８】  前記固定手段は、例えば、磁石である。
【考案の効果】
【０００９】本考案は、荷篭に物品を挟むクリップと、前記クリップを前記荷篭に着脱自在に固定する固定手段を備えることにより前記物品を荷篭内に固定できるので振動や風圧で物品が動いて物品を傷めることがない。
【図面の簡単な説明】
【００１０】
【図１】本考案の実施形態の第１の例を示す荷篭の正面図であり、物品をバンドで集束し棒で固定した例を示す。
【図２】前記荷篭の斜視図である。
【図３】本考案の実施形態の第２の例を示す荷篭の正面図であり、物品をクリップで集束し磁石で固定した例を示す。
【図４】前記クリップの実施例を示す斜視図である。
【図５】前記クリップにカギを備えた例を示す拡大図である。
【図６】本考案の実施形態の第３の例を示す荷篭の正面図であり、物品を面ファスナで集束、固定した例を示す。
【図７】前記面ファスナの実施例を示す正面図である。
【図８】本考案の実施形態の第４の例を示す荷篭の正面図であり、物品を２枚の平板で挟んで固定した例を示す。
【図９】前記平板の断面図である。
【図１０】本考案の実施形態の第５の例を示す荷篭の正面図であり、物品を２枚の平板で挟んで固定した例を示す。
【図１１】前記平板の断面図である。
【考案を実施するための形態】
【００１１】  図１は、本考案の実施形態の第１の例を示す荷篭の正面図である。図１に示すように荷篭１は、両脇に穴が開いていて、その穴に棒２を通して固定することができる。荷篭１に積む物品４は、バンド３が巻かれて束ねられる。バンド３と物品４の間には、棒２が差し込まれている（図２参照）。
【００１２】    このように、物品４をバンド３で、束ねて、その物品４の束を棒２で、荷篭１に固定しているので、荷篭１の中で、物品４が動くことがない。
【００１３】    図３は、本考案の実施形態の第２の例を示す荷篭の正面図である。図３に示すように荷篭５には、磁石６が固定され、磁石６には、クリップ７が吸着、固定されている。物品４は、クリップ７によって、束ねられている。
【００１４】    このように、物品４をクリップ７で、束ねて、その物品４の束を磁石６で、荷篭５に固定しているので、荷篭５の中で、物品４が動くことがない。
【００１５】    なお、クリップ７は、図４に示すように、二つの部材からなり、バネの力によって、その二つの部材を互いに押し当てるように構成されている。また図３および図５に示すように荷篭ごとクリップ７を鍵８で連結して、クリップ７が容易に持ち去られないようにしてもよい。
【００１６】    図６は、本考案の実施形態の第３の例を示す荷篭の正面図である。図６に示すように、荷篭５には、十字型のベルト１６が固定されてベルト１６で物品４を束ねている。また、図６および図７に示すように、ベルト１６には、面ファスナ９が取り付けられて荷篭５には面ファスナ１０が取り付けられている。面ファスナ９と面ファスナ１０は互いに接着する。そのため、ベルト１６は、荷篭５に対して自在に着脱できる。
【００１７】  図８は、本考案の実施形態の第４の例を示す荷篭の正面図である。図８に示すように、荷篭５には、平板１３が固定され、平板１３には、平板１１が取り付けられ平板１３と平板１１で、挟んで固定している。図９に示すように、平板１１の四隅には、突出部材１２があって、突出部材１２は、平板１３に開けた穴１４に差し込まれて、ネジ１５で平板１３に締結されている。
【００１８】  図１０は、本考案の実施形態の第５の例を示す荷篭の正面図である。図１０に示すように、荷篭５には、荷篭５には平板１８が固定され平板１８には平板１６が取り付けられ平板１８と平板１６で挟んで物品４を固定している。図１１に示すように、平板１６の下方には、平板状の突出部材１７があって、突出部材１７は、平板１８に開けた穴１９に差し込まれて、ネジ１５で、平板１５に締結されている。
【産業上の利用可能性】
【００１９】  本考案は、２輪車等に取り付けて使用する荷篭として有用である。
【符号の説明】
【００２０】１  荷篭
２  棒
３  バンド
４  物品
５  荷篭
６  磁石
７  クリップ
８  カギ
９，１０  面ファスナ
１１、１３、１６，１８  平板
１２，１７  突出部材
１４，１９  穴
１５  ネジ
２０  ベルト
【図１】
0003169780.tif 000003
【図２】
0003169780.tif 000004
【図３】
0003169780.tif 000005
【図４】
0003169780.tif 000006
【図５】
0003169780.tif 000007
【図６】
0003169780.tif 000008
【図７】
0003169780.tif 000009
【図８】
0003169780.tif 000010
【図９】
0003169780.tif 000011
【図１０】
0003169780.tif 000012
【図１１】
0003169780.tif 000013
(57)【要約】      （修正有）【課題】フィルムが中空に有るなど、支持されていないフィルムを容易に切断できるカッターを提供する。【解決手段】柄１と刃２からなるカッターにおいて、刃２の先端側（柄１の反対側）に、フィルムの刃先２ａへの進入角度可変フィルムガイド３を設ける。フィルムガイド３は所望の角度に調整後、使用時には該角度にて固定できる構造３ａとする。この構成により、フィルムが中空にあるような、きわめて不安定な状況においても、フィルムガイドにより確実にフィルムを刃に向かわせることができる。フィルムが大きく、途中で切断動作を止めてしまったときも、フィルムガイドでフィルムを支えているため、フィルム切断の再開を容易かつ正確にできる。【選択図】図１
0003169779.tif 000002
【実用新案登録請求の範囲】
【請求項１】
柄１と刃２からなるカッターにおいて、刃２の先端側（柄１の反対側）に、フィルムの刃先２ａへの進入角度可変フィルムガイド３を設け、フィルムガイド３は所望の角度に調整後、使用時には該角度にて固定できる構造３ａとすることを特徴とする、フィルム切断用カッター。
【考案の詳細な説明】
【技術分野】
【０００１】
本考案は、梱包などに用いるフィルムを切断するためのカッターに関する。
【背景技術】
【０００２】
従来、手作業でフィルムを切断する場合その簡便さから、刃片を出入り固定自在に装備し、この刃片には斜平行状の折取線を刻んで、刃が磨耗した場合は、刃片を折りとって、新たな刃を容易に形成できる、いわゆる折り刃式カッターや、ハサミが用いられることが多い。カッターによる切断時に、希望しない形状にならないように、容易に定規に沿った切断ができるよう、カッターにガイドを設けたものが考案されている（例えば、特許文献１参照）。また、フィルム切断カッターとして、作業者が指を負傷しないために、保護バーあるいは保護プレートを備えた、シャータイプのカッターが考案されている（例えば、特許文献２参照）。
【先行技術文献】
【特許文献】
【０００３】
【特許文献１】特開平９−０７５５６０
【特許文献２】特開平１０−０００５９６
【考案の概要】
【考案が解決しようとする課題】
【０００４】
フィルムが中空に有る場合、片手でフィルムを持ち、片手でカッターやハサミを用いて切る必要があるが、フィルムの巾方向片側しか、フィルムを固定できない（両手で持てない）ため、非常に切りにくく、直線的に切断することは非常に難しい。
【０００５】
また、カッターを用いる場合、フィルム面に対して、一方向（カッターを持っている側）から中空のフィルムを押しこむ方向に力がかかるため、フィルムが刃から離れてしまうことがあり、容易に切断できない。
【０００６】
一方、フィルムサイズが大きい場合、手で持ったカッターやハサミを、一動作で切断しきれず、刃を途中で止め、フィルムを持ち直す必要がある。切断再開時に、一旦カッターがフィルムから離れてしまっていると、切断方向がずれてしまったり、刃がフィルムに引っかかり、フィルムが破れてしまうこともある。
【０００７】
特許文献１に示されたように、刃にガイドの有るカッターは、フィルムが中空にある場合など、フィルムの支持が無い状況では、定規をあてることができないため、使用できない。
【０００８】
特許文献２に示されたようなシャータイプの刃は、切断機として固定して使用するカッターに適用できるが、フィルムが固定されていない状況では使用できない。
【０００９】
不安定なフィルムを保持するために、例えば、紐切りのような固定ガード付きカッターを流用することもできるが、既製の固定ガード付きカッターでは、刃へのフィルムの進入角度が固定されてしまい、フィルムの厚さやこしが異なると、切断しにくい不具合が生じる。
【課題を解決するための手段】
【００１０】
柄１と刃２からなるカッターにおいて、刃２の先端側（柄１の反対側）に、フィルムの刃先２ａへの進入角度可変フィルムガイド３を設ける。フィルムガイド３は所望の角度に調整後、使用時には該角度にて固定できる構造３ａとする。
【００１１】
３ａはネジ止めなどの簡便な方法で構わないが、角度調整と固定ができれば、ネジ止めに限らない。
【考案の効果】
【００１２】
フィルムが中空にあるような、きわめて不安定な状況においても、フィルムガイドにより確実にフィルムを刃に向かわせることができる。フィルムが大きく、途中で切断動作を止めてしまったときも、フィルムガイドでフィルムを支えているため、フィルム切断の再開を容易かつ正確にできる。
【図面の簡単な説明】
【００１３】
【図１】カッター全体を示した全体図である。
【図２】フィルムガイドを刃先側から示した図である。
【考案を実施するための最良の形態】
【００１４】
上方から下方に垂れ下がっているような、明らかな拘束を受けていない状態のフィルムの片側端部を片手で持ち、もう一方の手に本カッターを切断進行方向に柄が先頭になるように持ち、フィルムの持ち手付近から、フィルムガイドと刃の間にフィルムを挿入し、そのまま持ち手から離れる方向に、本カッターを移動させる。
【００１５】
台上に、拘束されずに置いてあるフィルムの一端部を片手で持ち、もう一方の手に本カッターを切断進行方向に柄が先頭になるように持ち、フィルムの持ち手付近から、フィルムガイドと刃の間にフィルムを挿入し、そのまま持ち手から離れる方向に、本カッターを移動させる。
【符号の説明】
【００１６】
１      柄
２      刃
２ａ  刃先
３      フィルムガイド
３ａ  フィルムガイド固定ネジ
【図１】
0003169779.tif 000003
【図２】
0003169779.tif 000004
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
柄１と刃２からなるカッターにおいて、刃２の先端側（柄１の反対側）に、フィルムの刃先２ａへの進入角度可変フィルムガイド３を設け、フィルムガイド３は所望の角度に調整後、使用時には該角度にて固定できるネジ止め構造３ａとすることを特徴とする、フィルム切断用カッター。
(57)【要約】      （修正有）【課題】柔軟素材の充填部分を持つことにより視覚及び触感に変化を持たせた清涼飲料水等容器用カバーを提供する。【解決手段】清涼飲料水容器用カバー本体１の表面に柔軟素材充填部２を設け、起伏のある立体感をもった意匠あるいは装飾の形状となる様に、ゲルやスポンジ等からなる柔軟素材を充填して該容器カバーを形成する。【選択図】図２
0003169500.tif 000002
【実用新案登録請求の範囲】
【請求項１】
柔軟な素材を表面一部に充填した清涼飲料水等容器用カバー。
【請求項２】
柔軟な素材を本体表面の一部分に充填し視覚的変化ないしは触感的変化、あるいはその両方を有した清涼飲料水等容器用カバー。
【考案の詳細な説明】
【技術分野】
【０００１】  本考案は、清涼飲料水等の容器に被せる事のできるカバーに関するものである。
【背景技術】
【０００２】  清涼飲料水等の容器を被い、保温や結露の防止等を目的とするカバーが存在する。
これらのカバーは布やスポンジ、ビニール、またはこれらの組み合わせで作られており、表面に印刷等で意匠を施すことが可能である。
【考案の概要】
【考案が解決しようとする課題】
【０００３】  清涼飲料水容器用カバー表面には印刷等が施され、意匠の追加及び装飾を行うことが可能である。これらは平面的なものであり、カバー表面に起伏をつけ立体感を表現することができなかった。
【課題を解決するための手段】
【０００４】  本考案におけるカバーは、一部分に柔軟な素材を充填し、立体的な形状を表現することができる。【０００５】  充填する柔軟素材にはゲル、スポンジ、液体などが利用できる。
【考案の効果】
【０００６】  カバー本体に柔軟素材充填部を有することにより視覚および触感の変化を実現できる。【０００７】  カバー表面の素材に印刷を施すことにより視覚的変化を実現できる。【０００８】  前記柔軟素材充填部の位置および形状、表面への印刷により例えば人体の胸部、果物、機器操作部分などを模擬的に再現することができる。
【実施例】
【０００９】  以下、添付図面に従って一実施例を説明する。１は本体、２は柔軟素材充填部である。
【図面の簡単な説明】
【００１０】
【図１】本考案の柔軟素材充填部持つ清涼飲料水等容器用カバーの正面図である。
【図２】本考案の柔軟素材充填部持つ清涼飲料水等容器用カバーの側面図である。
【図３】本考案の柔軟素材充填部を以って人体胸部をを表現した清涼飲料水等容器用カバーの正面図である。
【図４】本考案の柔軟素材充填部を以って機器操作部分を表現した清涼飲料水等容器用カバーの正面図である。
【符号の説明】
【００１１】  １    本体
２    柔軟素材充填部
【図１】
0003169500.tif 000003
【図２】
0003169500.tif 000004
【図３】
0003169500.tif 000005
【図４】
0003169500.tif 000006
(57)【要約】      （修正有）【課題】ゴミ集積場の猫・カラス等によるゴミの散乱・悪臭、雨の日の片手でのゴミ出し等、これらすべての解決をする簡素化された折りたたみ式ゴミ集積場ランドレーを提供する。【解決手段】木製の縦木１二本の間に横木２、３等三本を組み合わせ、横木下段にすのこ状板５をＬ型金具で取り付け、すのこ状板に、コの字の溝と自由に出し入れができる丸棒の付いた足を取り付ける。その足がコの字の溝にはまってゴミを置く台となり、これら全体をネット１１等で覆ってゴミ集積場ランドレー３０を構成する。【選択図】図１
0003169496.tif 000002
【実用新案登録請求の範囲】
【請求項１】
木製の縦木二本の間に横木三本を組み合わせ、横木下段にすのこ状板をＬ型金具で取り付け、すのこ状板にコの字の溝と自由に出し入れができる丸棒の付いた足が付いており、その足がコの字の溝にはまってゴミを置く台となり、これら全体をネットが覆っているゴミ集積場ランドレー。
【考案の詳細な説明】
【背景技術】
【０００１】  家庭から出されるゴミの集積場は、ネットを掛けて猫やカラスの侵入を防いでいるのが大半です。しかしネットを掛けた状態でもネットの隙間から猫やカラスは手を使い・くちばしを使い、ゴミをあさって散らかし放題、車両や通行人の妨げにもなり悪臭も放ちます。又、使用後のネットは無雑作に置かれていて、決して見映えはよくありません。このような場所はあちらこちらにあり、街の美観を損ないます。
【考案が解決するための手段】
【０００２】  ゴミ集積場の猫やカラスの侵入を防ぐために、ゴミ収集日に組立て式でセットし、収集日以外には平らになって見映えもスッキリ、悪臭も出さず、車両・通行人の邪魔にもなりません。そしてこれは、ブロックでできたゴミ集積場・ガードレール・フェンス・壁等どこにでも設置できるものとして考案致しました。
【考案を実施するための最良の形態】
【０００３】  木製の縦木１二本に横木三本を組み合わせて、横木下段４にゴミを乗せるすのこ状板５を取り付けます。このすのこ状板５はＬ型金具６の接続で折りたたみ式となっており、すのこ状板５の一番手前の板にはコの字の溝７が入り、そこにすのこ状板５を貫通させる丸棒の付いた足８が付いています。この足８は丸棒が付いていることにより使用時にはコの字の溝７にぴったりはまり、ゴミを乗せる台に変わります。又、未使用時にはコの字の溝７から浮いてすのこ状板５の一番手前の板の上部に乗り、横木中段３と合体して平らとなります。
コの字の溝７に足がはまっている時は、左右に動くステンレス板９を移動させて、はまっている足のさらなる固定とする。
横木上段２にネットを固定し、前面１１に重石用丸棒１４を付けて垂し、後ろ面１２には縦木１の二本の上から下へネットを張り固定する。すのこ状板５の上部全面にネット１７を張り固定し、側面は横木の上段２側面・横木の下段４側面・すのこ状板５の上部側面の三箇所にネットをビス１６で固定して張り、全体をネットが覆うゴミ集積場のランドレー３０となります。
【図面の簡単な説明】
【０００４】
【図１】  本考案にかかるランドレーの全体図。
【図２】  本考案にかかるランドレーのネット無し使用時の全体図。
【図３】  本考案にかかるランドレーのネット無し未使用時の全体図。
【図４】  本考案にかかるランドレーの足を固定する前の図。
【図５】  本考案にかかるランドレーの足をセットした図。
【図６】  本考案にかかるランドレーの足を固定した図。
【符号の説明】
【０００５】ランドレー                          ３０
縦木                                  １
横木上段                              ２
横木中段                              ３
横木下段                              ４
すのこ状板                            ５
Ｌ型金具                              ６
コの字の溝                            ７
丸棒の付いた足                        ８
左右移動できるステンレスの押さえ板    ９
横木中段・すのこ状板の押さえ金具    １０
前面ネット                          １１
後ろ面ネット                        １２
側面ネット                          １３
前面ネット重石用丸棒                １４
前面ネット重石用丸棒の受け金具      １５
側面ネット押さえビス                １６
すのこ状板上部全面ネット            １７
【図１】
0003169496.tif 000003
【図２】
0003169496.tif 000004
【図３】
0003169496.tif 000005
【図４】
0003169496.tif 000006
【図５】
0003169496.tif 000007
【図６】
0003169496.tif 000008
(57)【要約】      （修正有）【課題】喫煙に新たな楽しみを付加すると共に減煙効果をも持つ喫煙関連具を提供する。【解決手段】紙巻煙草に焙り出しの原理に因りメッセージを施し、喫煙者にプレゼントするに資する、果汁由来のリキッド、小筆、文字印、詰め替え用ケースの４点セットを構成する。リキッドは、文字印を使って印字する場合、果汁の原液では粘貼性が足りないので果汁に分子の大きいアルコールを混ぜる等の加工が必要となる。文字印は、字柄が混んでいると印影が滲んで読めないのでカタカナ印が良い。煙草のどちら側にメッセージを付けたのか分る様に刻印を入れる為の印も必要。【選択図】図１
0003169493.tif 000002
【実用新案登録請求の範囲】
【請求項１】
紙巻煙草に焙り出しの原理を用いてメッセージを施し贈答に供する為の、檸檬果汁等を原料とするリキッド、小筆、カナ文字印、詰替用ケースの４点からなる喫煙関連具。
【考案の詳細な説明】
【技術分野】
【０００１】  本考案は煙草に関するものなので、玩具ではなく喫煙具の分野に属する。
【考案の概要】
【考案が解決しようとする課題】
【０００２】  喫煙に新たな楽しみを付加すると共に、一本のたばこを吸うのに要する時間を長くする事で減煙を計るに資する喫煙関連具を提供する。
【課題を解決するための手段】
【０００３】  煙草の巻紙に炙り出しのメッセージを施す為の、檸檬果汁等を原料とするリキッド、小筆、カナ文字印、詰め替え用ケースの４点により、プレゼント用タバコあぶりだしメッセージ装飾セットを構成する。
【図面の簡単な説明】
【０００４】
【図１】煙草と文字印と詰め替えケースを並べた図。
【考案を実施するための形態】
【０００５】  リキッドは、文字印を使って印字する場合、果汁の原液では粘貼性が足りないので果汁に分子の大きいアルコールを混ぜる等の加工が必要となる。
文字印は、字柄が混んでいると印影が滲んで読めないのでカタカナ印が良い。
煙草のどちら側にメッセージを付けたのか分る様に刻印を入れる為の印も必要。
【図１】
0003169493.tif 000003
(57)【要約】      （修正有）【課題】非接触型ＩＣカード等の電子情報媒体収納ケースを手首に装着することにより、手首をリーダー／ライターに接触させるだけで電子情報媒体を使用することができる保持具付収納ケースを提供する。【解決手段】非接触型ＩＣカード等の電子情報媒体収納ケース１に保持具２を取り付け、保持具を用いて収納ケースを手首に装着できるように形成する。保持具２として、例えば時計バンドと同様な構造とし、素材も皮革や金属を用いる。また保持具２に時計を取りつけたり、装飾品を取り付けブレスレットとしても良い。【選択図】図１
0003169492.tif 000002
【実用新案登録請求の範囲】
【請求項１】
非接触型ＩＣカード等の電子情報媒体収納ケース本体に保持具を取り付け、その保持具を用いて収納ケースを手首に装着することができるようにした保持具付収納ケース。
【考案の詳細な説明】
【技術分野】
【０００１】  本考案は、手首に装着するための保持具を取り付けた非接触型ＩＣカード等の電子情報媒体収納ケースに関するものである。
【背景技術】
【０００２】  改札、自動販売機、売店などで非接触型ＩＣカード等の電子情報媒体を使用する際、ポケットやバッグから取出し、それを手に握ってリーダー／ライターに接触させていた。
【考案の概要】
【考案が解決しようとする課題】
【０００３】  これには次のような欠点があった。
（イ）  非接触型ＩＣカード等の電子情報媒体を入れた定期入または財布をポケッ            トやバッグから探して取り出すのに手間や時間がかかる。
（ロ）  ポケットやバッグから出し入れすることにより、非接触型ＩＣカード等の            電子情報媒体を紛失する危険もある。
従って、非接触型ＩＣカード等の電子情報媒体収納ケースを手首に保持具を用いて装着することにより、手首をリーダー／ライター接触させるだけで非接触型ＩＣカード等の電子情報媒体を使用することが可能となり、前述の欠点を解決しようとするものである。
【課題を解決するための手段】
【０００４】  本考案は、非接触型ＩＣカード等の電子情報媒体収納ケースに保持具を取り付け、その保持具を用いて収納ケースを手首に装着することができるようにして問題点を解決している。
【考案の効果】
【０００５】  本考案はこのような構造であるから、非接触型ＩＣカード等の電子情報媒体収納ケースが常時手首に装着されている状態なので、ポケットやバッグから取り出す必要がない。収納ケースが装着されている手首部分をリーダー／ライターに接触させれば、買い物の精算も改札を通過することもできる。また財布や定期入のように出し入れする必要がないので、紛失する危険も少ない。
【図面の簡単な説明】
【０００６】
【図１】本考案の斜視図である。
【符号の説明】
【０００７】  １は非接触型ＩＣカード等の電子情報媒体収納ケース本体、２は保持具
【考案を実施するための形態】
【０００８】  非接触型ＩＣカード等の電子情報媒体収納ケース本体を、保持具を用いて手首に装着し、手首をリーダー／ライターに接触させて使用する。
【実施例】
【０００９】以下、考案の実施の例について説明する。
（イ）保持具に皮革や金属など時計バンドと同様の構造、素材のものを使用したもの
（ロ）保持具に時計を取り付けたもの
（ハ）保持具に装飾品を用いてブレスレットにしたもの
（ニ）保持具に衣服の袖を使用したもの
▲１▼袖口に縫い付けるもの
▲２▼袖口に挟むもの
▲３▼袖口に収納ケースを取り付けた衣服そのもの
（ホ）航空券などのバーコードが入ったカードを装着するもの
【図１】
0003169492.tif 000003
(57)【要約】      （修正有）【課題】高受信感度のストレートＡＭラジオを提供する。【解決手段】ストレートＡＭラジオにおいて、その同調用コイルの一部を大型にして、より開口面積を増大させて、ラジオの受信感度を上げた。アンテナを用いなくても受信感度を向上できる。又、電気回路の追加をせず簡単に感度が向上するので、簡易型ストレートＡＭラジオに有効である。【選択図】図４
0003169480.tif 000002
【実用新案登録請求の範囲】
【請求項１】
ストレートAMラジオであって、その同調用コイルの一部が大型になり、開口面積を増大させたことを特徴とする前記ストレートAMラジオ。
【請求項２】
前記同調用コイルは大口径コイルと小型固定インダクターとの組み合わせからなることを特徴とする前記ストレートAMラジオ。
【請求項３】
前記同調用コイルの一部である大口径コイルの形状は、多角形であることを特徴とする前記ストレートAMラジオ。
【考案の詳細な説明】
【技術分野】
【０００１】
本考案は、アンテナを用いずに受信感度を増大させることが出来る簡易なストレートAMラジオに関するものである。
【背景技術】
【０００２】
ラジオ技術の入門用として、最近な図１に示す様な回路で、その全体構成は図２に示す様な簡易型ストレートAMラジオが製作される様になった。しかしながら、地域によっては、その受信感度を更に向上させる必要が生じた。
【０００３】
小学生程度が理科の授業時間などにおいて製作出来る簡易型ストレートラジオでは、その電気回路の改造でこれ以上の受信感度の向上は望めない。従来はアンテナを接続することにより、受信感度向上をはかっていたが簡易型ストレートAMラジオにはアンテナ接続は不向きであった。そこで、同調回路のコイルを改造することで受信感度向上が得られる様になった。
【０００４】
図３は、簡易型ストレートAMラジオに用いられる同調コイルの模式図である。このコイルのリード線に接続される可変コンデンサ、又はコイルに出し入れされるフェライトコアーによって目的のAM放送局に同調させている。
【先行技術文献】
【非特許文献】
【０００５】
【非特許文献１】鈴木憲次著「ラジオ＆ワイヤレス回路の設計・製作」CQ出版社１９９９年
【考案の概要】
【考案が解決しようとする課題】
【０００６】
解決しようとする問題点は、簡易型ストレートAMラジオにおいて、その受信感度を向上させる方法の提供である。
【課題を解決するための手段】
【０００７】
本考案は、簡易型ストレートAMラジオにおいて、その同調回路のコイルの一部を大型にしたことである。
【０００８】
本考案は、前記同調回路において、大型のコイルと小型の固定インダクターを組み合わせて開口面積を増大させたことである。
【０００９】
本考案の大型コイルは同調には大きく寄与しないことである。
【考案の効果】
【００１０】
本考案は、アンテナを用いなくても受信感度を向上できる。
【００１１】
電気回路の追加をせずに簡単に感度が向上するので、簡易型ストレートAMラジオに有効である。
【図面の簡単な説明】
【００１２】
【図１】図１は従来の簡易型ストレートAMラジオの回路図である。
【図２】図２は前記簡易ストレートラジオの構成の模式図である。
【図３】図３は従来のラジオに用いられている同調回路のコイルの部分を示したものである。１）リード線に可変コンデンサが接続されて目的の放送局に同調させたり、２）リード線に固定コンデンサを接続して、フェライトコアーをコイルに出し入れして同調させたりしている。
【図４】図４は同調用コイルの一部を大型にした模式図である。（実施例１）
【図５】図５は大型のコイルと同調用コイルとの接続を示した図である。コイルの巻き方向は同じ方向であることが示されている。
【図６】図６は大型コイルの形状が多角形の場合の模式図である。（実施例２）
【図７】図７は同調用コイルとして小型のインダクターを用いた場合である。（実施例３）
【考案を実施するための形態】
【００１３】
小学校などの理科の授業において、容易に製作可能で且つ充分なる音量の得られるラジオが実現した。特に、大型コイルを用いたことにより受信感度が向上した。
【実施例】
【００１４】
図４は、本考案の実施例１の模式図であって、同調用コイルの一部が大型になったものである。コイルが大型になり開口面積が大きくなることにより、空間の電波をより多く受信できるようになった。
【００１５】
図５は前記の模式図の大型コイルと従来の同調コイルとの接続部を示したものである。大型コイルと同調用コイルとの巻き方向は同じであることは言うまでもない。
【００１６】
図６は、本考案の実施例２の模式図であって、前記実施例１との違いは大型コイルが多角形になったものである。図では4角形の例を示したが、5角形及びそれ以外の多角形であっても良い。
【００１７】
図７は、本考案の実施例３の構成図であって、前記実施例２との違いは、同調用コイルの替わりに小型の固定インダクターを用いたものである。この場合の同調は可変コンデンサを用いている。
【符号の説明】
【００１８】
L1は大型コイルを示す。L2は同調用コイルを示す。L3は小型固定インダクターを示す。
【図１】
0003169480.tif 000003
【図２】
0003169480.tif 000004
【図３】
0003169480.tif 000005
【図４】
0003169480.tif 000006
【図５】
0003169480.tif 000007
【図６】
0003169480.tif 000008
【図７】
0003169480.tif 000009
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
ストレートAMラジオであって、その同調用コイルの一部が大型になり、開口面積を増大させたことを特徴とする前記ストレートAMラジオ。
【請求項２】
請求項１の同調用コイルは大口径コイルと小型固定インダクターとの組み合わせからなることを特徴とする請求項１記載のストレートAMラジオ。
【請求項３】
請求項１の同調用コイルの一部である大口径コイルの形状は、多角形であることを特徴とする請求項１記載のストレートAMラジオ。